(57)【要約】      （修正有）【課題】他の飛行輸送体を含む障害物を検出し、障害物の周りで輸送体を自動的にナビゲートする。【解決手段】ASAシステム２００において、複数のセンサ２２６は、環境内の障害物の位置を反映したセンサデータを生成する。障害物検出回路２０２は、プロセッサ及び複数のセンサ２２６と動作可能に接続され、センサデータに少なくとも部分的に基づいて障害物を特定し、環境内の障害物の位置の最良の推定値を反映する障害物情報を生成する。障害物検出回路２０２は、航空輸送体の状態及びその環境に応じて、センサデータに重み付けする。回避操縦飛翔経路回路２０４は、障害物検出回路２０２及びプロセッサと動作可能に接続され、障害物情報及び１以上のデータベースからの情報に応じて、飛翔経路データを計算する。障害物検出回路２０２は、飛翔経路データを飛行制御システム１２０に通信する。【選択図】図２ａ
2020098567.tif 000002
【特許請求の範囲】
【請求項１】
環境内で航空輸送体（１００）と共に使用される適応検知・回避システムであって、
飛行コントローラ（１２６）及びメモリデバイス（１２８）に動作可能に接続されたプロセッサ、
前記航空輸送体（１００）に接続された複数のセンサ（１１０、１４０ｃ、２２６）であって、それぞれが前記環境内で障害物の位置を反映したセンサデータを生成するように構成された、複数のセンサ（１１０、１４０ｃ、２２６）、
前記プロセッサ及び前記複数のセンサ（１１０、１４０ｃ、２２６）に動作可能に接続された障害物検出回路（２０２）であって、前記複数のセンサ（１１０、１４０ｃ、２２６）のそれぞれからの前記センサデータを混合して、前記環境内の障害物を特定し、前記環境内の前記障害物の位置の最良の推定値を反映する障害物情報を生成するように構成された、障害物検出回路（２０２）、並びに
前記障害物検出回路（２０２）及び前記プロセッサに動作可能に接続された回避飛翔経路回路を備え、
前記障害物検出回路（２０２）が、
（ｉ）前記航空輸送体（１００）の現在の状態及び前記環境の条件に少なくとも部分的に基づいて、前記複数のセンサ（１１０、１４０ｃ、２２６）のそれぞれに対するセンサモードを設定し、
（ｉｉ）センサの種類、前記航空輸送体（１００）の前記現在の状態、及び前記環境の前記条件に応じて、前記複数のセンサ（１１０、１４０ｃ、２２６）のそれぞれからの前記センサデータに重みを割り当てるように構成され、
前記障害物検出回路（２０２）が、
（ｉ）前記障害物情報及び前記１以上のデータベース（１０８、２２４）からの情報に応じて、飛翔経路データを計算し、
（ｉｉ）前記飛翔経路データを前記飛行コントローラ（１２６）に通信するように構成されている、適応検知・回避システム。
【請求項２】
前記１以上のデータベース（１０８、２２４）が、（ｉ）前記環境向けに画定された合法空域を反映した空域データの空域データベース（２２４ａ）、（ｉｉ）前記環境における環境要因を反映した環境データの環境データベース（２２４ａ、２２４ｂ、２２４ｃ）、及び（ｉｉｉ）前記環境の地形特性を反映した地形データの地形データベース（２２４ｃ）を備える、請求項１に記載の適応検知・回避システム。
【請求項３】
前記障害物検出回路（２０２）が、前記空域データに応じて、第１のセンサからのセンサデータに第１の重みを割り当て、第２のセンサからのセンサデータに第２の重みを割り当てるように構成されている、請求項２に記載の適応検知・回避システム。
【請求項４】
前記障害物検出回路（２０２）が、前記空域データに応じて、協働するセンサからのセンサデータに第１の重みを割り当て、協働しないセンサからのセンサデータに第２の重みを割り当てるように構成されており、前記第１の重みが前記第２の重みより大きい、請求項２に記載の適応検知・回避システム。
【請求項５】
前記障害物検出回路（２０２）が、前記環境データに応じて、第１のセンサからのセンサデータに第１の重みを割り当て、第２のセンサからのセンサデータに第２の重みを割り当てるように構成されている、請求項２に記載の適応検知・回避システム。
【請求項６】
前記障害物検出回路（２０２）が、前記空域データ、前記環境データ、及び前記地形データのそれぞれに応じて、動的に障害物を特定するように構成されている、請求項２に記載の適応検知・回避システム。
【請求項７】
前記回避飛翔経路回路が、前記空域データ、前記環境データ、及び前記地形データのうちの少なくとも１つに応じて、動的に飛翔経路データを計算するように構成されている、請求項２から６のいずれか一項に記載の適応検知・回避システム。
【請求項８】
前記適応検知・回避システムが、前記適応検知・回避システムと人間のオペレータとの間の制御及び通信インターフェースを提供するために、人間機械インターフェースと通信可能に接続されている、請求項２から７のいずれか一項に記載の適応検知・回避システム。
【請求項９】
環境内で航空輸送体（１００）をナビゲートするための方法であって、
飛行コントローラ（１２６）と１以上のデータベース（１０８、２２４）を有するメモリデバイス（１２８）とに動作可能に接続された、プロセッサによって、前記航空輸送体（１００）及び前記環境の状態を特定すること、
前記環境内の障害物の位置を反映したセンサデータを生成するように構成された複数のセンサ（１１０、１４０ｃ、２２６）のそれぞれに対して、前記航空輸送体（１００）及び前記環境の前記状態に少なくとも部分的に基づいてセンサモードを設定すること、
前記プロセッサに動作可能に接続された障害物検出回路（２０２）によって、前記航空輸送体（１００）及び前記環境の前記状態に応じて前記複数のセンサ（１１０、１４０ｃ、２２６）のそれぞれからの前記センサデータに重みを割り当てること、
前記障害物検出回路（２０２）によって、前記環境内の前記障害物の位置に対する最良の推定値を反映した障害物情報を生成すること、
前記プロセッサによって、前記航空輸送体（１００）及び前記環境の前記状態をモニタすること、
前記航空輸送体（１００）に課される任意の飛行の制約を特定するために、前記１以上のデータベース（１０８、２２４）に問い合わせること、
前記プロセッサに動作可能に接続された回避飛翔経路回路によって、前記障害物情報及び前記１以上のデータベース（１０８、２２４）に応じて前記航空輸送体（１００）向けの飛翔経路命令を計算すること、並びに
前記飛翔経路命令を前記飛行コントローラ（１２６）に通信することを含む、方法。
【請求項１０】
前記１以上のデータベース（１０８、２２４）が、（ｉ）前記環境向けに画定された合法空域を反映した空域データの空域データベース（２２４ａ）、（ｉｉ）前記環境における環境要因を反映した環境データの環境データベース（２２４ａ、２２４ｂ、２２４ｃ）、及び（ｉｉｉ）前記環境の地形特性を反映した地形データの地形データベース（２２４ｃ）を備える、請求項９に記載の方法。
【請求項１１】
前記割り当てるステップの間に、前記障害物検出回路（２０２）が、前記空域データに応じて、第１のセンサからのセンサデータに第１の重みを割り当て、第２のセンサからのセンサデータに第２の重みを割り当てる、請求項９又は１０に記載の方法。
【請求項１２】
前記割り当てるステップの間に、前記障害物検出回路（２０２）が、前記空域データに応じて、協働するセンサからのセンサデータに第１の重みを割り当て、協働しないセンサからのセンサデータに第２の重みを割り当て、前記第１の重みが前記第２の重みより大きい、請求項９から１１のいずれか一項に記載の方法。
【請求項１３】
前記割り当てるステップの間に、前記障害物検出回路（２０２）が、前記環境データに応じて、第１のセンサからのセンサデータに第１の重みを割り当て、第２のセンサからのセンサデータに第２の重みを割り当てる、請求項９から１２のいずれか一項に記載の方法。
【請求項１４】
前記障害物情報を生成するステップの間に、前記障害物検出回路（２０２）が、前記空域データ、前記環境データ、及び前記地形データのそれぞれに応じて、動的に障害物を特定する、請求項９から１３のいずれか一項に記載の方法。
【請求項１５】
前記飛翔経路命令を計算するステップの間に、前記回避飛翔経路回路が、前記空域データ、前記環境データ、及び前記地形データのうちの少なくとも１つに応じて、動的に飛翔経路データを計算する、請求項９から１４のいずれか一項に記載の方法。
【発明の詳細な説明】
【技術分野】
【０００１】
本開示は、飛行制御システム、方法、及び装置の分野に関し、特に、他の飛行輸送体を含む障害物を検出し、かかる障害物の周りで輸送体を自動的にナビゲートするための、システム、方法、及び装置に関する。
【背景技術】
【０００２】
無人航空輸送体（UAV）及び無人航空システム（UAS）の使用は、近年増えている。UAV及びSUASは、軍事及び民間の両方の用途を含む広く様々な用途で採用されている。したがって、UASの自律性を改善するために継続的な研究が行われている。しばしば、そのような研究努力は、とりわけ、（１）遠隔の人間による制御を支援するための所与の輸送体の自動的な飛行制御、（２）所与の輸送体又は輸送体の組に対して、どのように作業が命令され且つ／又は割り当てられるかを決定するための、最適化システム（及び関連した方法）、並びに（３）自動経路計画、着陸、及び他の動作の支援における、自動的なリアルタイムのデータ処理及び利用を含む、UAV／UAS動作の複数の態様に対処するものである。
【０００３】
UAV技術を含む航空機の技術は、諜報、監視、偵察、及びペイロード搬送を含むミッションプロファイル用の貴重なツールである。動作の際に、航空機は、航空機の空域内で大きい及び小さい両方の障害物と遭遇し得る。それらの障害物は、固定されているかもしれないし移動しているかもしれず、それらの位置は予め知られていないことがある。航空機内での障害物の検出及び回避の従来の形態は、航空機が別の航空機などの障害物との衝突コースにないことを確認するために、航空機の外側を見るという極めて重要な作業を行うパイロットに依存している。操縦室から外を見る人間のパイロットがいないので、UAVは、人間によるか、無人か、又は天然の物体（例えば、木々や山々など）であるかにかかわらず、他の航空交通を検出し回避することを保証できない。全地球測位システム（「GPS」）によって提供される位置データと組み合わされる障害物データベースを含む、航空機が障害物に衝突することを防止するための既存の技術は、しばしば、不十分なものである。何故ならば、多くの障害物（殊に移動している障害物）はデータベースに含まれないことがあるからであり、GPSの精度性能は、高度や地形に依存して、環境にわたり広く変動するからである。
【０００４】
しかし、民間航空機産業は、航空機衝突防止装置（「TCAS」）を衝突回避の標準として採用した。それは、協働する航空機が互いの位置を特定し衝突を回避することを可能にする。協働する航空機は、協働するセンサを用いて協働することができる航空機を指す。例えば、協働する航空機は、モードＳ若しくはモードＣのトランスポンダ、自動従属監視‐放送（ADS-B）などの、TCAS（TCAS II又はより早い世代）が装備されてよく、又は代替的に、ADS-Bなどの他のエミッション及びスクイッターメッセージを使用し得る。TCASは、UAVに対する障害物を検出及び回避する問題に対する解決策を提供するが、TCASは、各UAVと障害物がトランスポンダを含む場合にのみ、この目的を達成することができる。言い換えると、協働する目標（target）は、無線を介して（例えば、ADS-B又は他の方法を使用して）他の航空機に、その位置及び機首方位（例えば、GPS位置及び速度ベクトル）を送るが、協働しない障害物は、他者（多回転翼航空機、一般の航空機、グライダー、鳥など）に位置及び機首方位の情報を送らない。更に、協働しない障害物を検出及び回避するように設計された現在の飛行制御システムは、邪魔な障害物を追跡するために高価なレーダーアレイを利用し、概して、大きなスケールの航空機においてのみ使用される。
【０００５】
協働するシステムは、トランスポンダ（例えば、ADS-B）を有する航空交通を検出するのに有用であるが、トランスポンダがない協働しない交通を検出することは、非常に困難である。協働しない目標向けの小さいレーダー、カメラベースの視覚システム、及び他の検出センサを利用する試みが、行われ継続している。したがって、進歩している中でも、検知及び回避能力を有する既存の自律システムは改善され得る。
【発明の概要】
【０００６】
本開示は、飛行制御システム、方法、及び装置の分野に関し、特に、静止障害物及び／又は移動障害物を検出し、静止障害物及び／又は移動障害物の周りで自動的にナビゲートするためのシステム、方法、及び装置に関する。
【０００７】
第１の態様によれば、環境内で航空輸送体と共に使用される適応検知・回避システムが、飛行コントローラ及びメモリデバイスに動作可能に接続されたプロセッサであって、メモリデバイスが、航空輸送体に課される飛行の制約を反映した１以上のデータベースを備える、プロセッサ、航空輸送体に接続された複数のセンサであって、それぞれが環境内で障害物の位置を反映したセンサデータを生成するように構成された、複数のセンサ、プロセッサ及び複数のセンサに動作可能に接続された障害物検出回路であって、複数のセンサのそれぞれからのセンサデータを混合して、環境内の障害物を特定し、環境内の障害物の位置の最良の推定値を反映する障害物情報を生成するように構成された、障害物検出回路、並びに障害物検出回路及びプロセッサに動作可能に接続された回避飛翔経路回路を備え、障害物検出回路が、（ｉ）航空輸送体の現在の状態及び環境の条件に少なくとも部分的に基づいて、複数のセンサのそれぞれに対するセンサモードを設定し、（ｉｉ）センサの種類、航空輸送体の現在の状態、及び環境の条件に応じて、複数のセンサのそれぞれからのセンサデータに重みを割り当てるように構成され、障害物検出回路が、（ｉ）障害物情報及び１以上のデータベースからの情報に応じて、飛翔経路データを計算し、（ｉｉ）飛翔経路データを飛行コントローラに通信するように構成されている。
【０００８】
第２の態様によれば、環境内で航空輸送体をナビゲートするための方法が、飛行コントローラと１以上のデータベースを有するメモリデバイスとに動作可能に接続された、プロセッサによって、航空輸送体及び環境の状態を特定すること、環境内の障害物の位置を反映したセンサデータを生成するように構成された複数のセンサのそれぞれに対して、航空輸送体及び環境の状態に少なくとも部分的に基づいてセンサモードを設定すること、プロセッサに動作可能に接続された障害物検出回路によって、航空輸送体及び環境の状態に応じて複数のセンサのそれぞれからのセンサデータに重みを割り当てること、障害物検出回路によって、環境内の障害物の位置に対する最良の推定値を反映した障害物情報を生成すること、プロセッサによって、航空輸送体及び環境の状態をモニタすること、航空輸送体に課される任意の飛行の制約を特定するために、１以上のデータベースに問い合わせること、プロセッサに動作可能に接続された回避飛翔経路回路によって、障害物情報及び１以上のデータベースに応じて航空輸送体向けの飛翔経路命令を計算すること、並びに飛翔経路命令を飛行コントローラに通信することを含む。
【０００９】
第３の態様によれば、航空輸送体が、飛行コントローラ、飛行コントローラ及びメモリデバイスに動作可能に接続されたプロセッサであって、メモリデバイスが、（ｉ）環境向けに画定された合法空域を反映した空域データの空域データベース、（ｉｉ）環境における環境要因を反映した環境データの環境データベース、及び（ｉｉｉ）環境の地形特性を反映した地形データの地形データベースを備える、プロセッサ、環境内の障害物の位置を反映したセンサデータを生成するように構成された複数のセンサ、プロセッサ及び複数のセンサに動作可能に接続された障害物検出回路であって、複数のセンサのそれぞれからのセンサデータを混合して、環境内の障害物を特定し、環境内の障害物の位置の最良の推定値を反映する障害物情報を生成するように構成された、障害物回路、並びに障害物検出回路及びプロセッサに動作可能に接続された回避飛翔経路回路を備え、障害物回路が、（ｉ）航空輸送体の現在の状態及び環境の条件に少なくとも部分的に基づいて、複数のセンサのそれぞれに対するセンサモードを設定し、（ｉｉ）センサの種類、航空輸送体の現在の状態、及び環境の条件に応じて、複数のセンサのそれぞれからのセンサデータに重みを割り当てるように構成され、障害物検出回路が、障害物情報及び１以上のデータベースからの情報に応じて、飛翔経路データを計算し、（ｉｉ）飛翔経路データを飛行コントローラに通信するように構成されている。
【００１０】
特定の態様では、１以上のデータベースが、（ｉ）環境向けに画定された合法空域を反映した空域データの空域データベース、（ｉｉ）環境における環境要因を反映した環境データの環境データベース、及び（ｉｉｉ）環境の地形特性を反映した地形データの地形データベースを備える。
【００１１】
特定の態様では、障害物検出回路が、空域データに応じて、第１のセンサからのセンサデータに第１の重みを割り当て、第２のセンサからのセンサデータに第２の重みを割り当てるように構成されている。
【００１２】
特定の態様では、障害物検出回路が、空域データに応じて、協働するセンサからのセンサデータに第１の重みを割り当て、協働しないセンサからのセンサデータに第２の重みを割り当てるように構成され、第１の重みが第２の重みより大きい。
【００１３】
特定の態様では、障害物検出回路が、環境データに応じて、第１のセンサからのセンサデータに第１の重みを割り当て、第２のセンサからのセンサデータに第２の重みを割り当てるように構成されている。
【００１４】
特定の態様では、障害物検出回路が、環境データが環境における不十分な視認性を反映するときに、視覚センサからのセンサデータにより低い重みを割り当てるように構成されている。
【００１５】
特定の態様では、障害物検出回路が、空域データ、環境データ、及び地形データのそれぞれに応じて、動的に障害物を特定するように構成されている。
【００１６】
特定の態様では、回避飛翔経路回路が、空域データ、環境データ、及び地形データのうちの少なくとも１つに応じて、動的に飛翔経路データを計算するように構成されている。
【００１７】
特定の態様では、適応検知・回避システムが、適応検知・回避システムと人間のオペレータとの間の制御及び通信インターフェースを提供するために、人間機械（human-machine）インターフェースと通信可能に接続されている。
【００１８】
特定の態様では、航空輸送体が多回転翼航空機である。
【００１９】
特定の態様では、航空輸送体が固定翼航空機である。
【００２０】
特定の態様では、複数のセンサが、少なくとも１つの協働するセンサ及び少なくとも１つの協働しないセンサを備える。
【００２１】
特定の態様では、少なくとも１つの協働するセンサが、ADS-B、TCAS、又はTASプロトコルのうちの少なくとも１つを使用して通信するように構成された、無線周波数トランシーバーを備える。
【００２２】
特定の態様では、少なくとも１つの協働しないセンサが、レーダーベースシステム、電気光学システム、赤外線システム、音響システム、又は視覚ベースシステムのうちの少なくとも１つを含む。
【００２３】
特定の態様では、少なくとも１つの協働しないセンサが、音響システム及び視覚ベースシステムを備える。
【００２４】
特定の態様では、障害物情報が、障害物の速度又はアイデンティティーを反映する。
【００２５】
本開示のこれらの利点及び他の利点は、以下の明細書と添付の図面を参照することによって、容易に理解され得るであろう。
【図面の簡単な説明】
【００２６】
【図１ａ】図１ａ及び図１ｂは、それぞれ、例示的な多回転翼航空機と例示的な固定翼航空機の図を示す。
【図１ｂ】図１ａ及び図１ｂは、それぞれ、例示的な多回転翼航空機と例示的な固定翼航空機の図を示す。
【図１ｃ】図１ａ及び／又は図１ｂの航空機向けの例示的な飛行制御システムのブロック図を示す。
【図２ａ】図２ａから図２ｃは、障害物の自動的な検出及び回避向けの適応検知・回避（ASA）システムを示す。
【図２ｂ】図２ａから図２ｃは、障害物の自動的な検出及び回避向けの適応検知・回避（ASA）システムを示す。
【図２ｃ】図２ａから図２ｃは、障害物の自動的な検出及び回避向けの適応検知・回避（ASA）システムを示す。
【図３】ASAシステムが装備された航空機を動作させるための例示的な航行方法を示す。
【発明を実施するための形態】
【００２７】
本開示の好適な実施形態が、添付の図面を参照しながら以下で説明されることとなる。図面における構成要素は必ずしも正確な縮尺で描かれておらず、むしろ、本発明の原理を明確に示すことに重点が置かれている。例えば、要素のサイズは、説明の明快さ及び利便性のために強調され得る。更に、可能な場合には、一実施形態の同じ又は類似の部品に言及するのに、図面全体を通して同じ参照番号を使用する。以下の記載では、周知の機能及び説明は詳細には記載されない。なぜならばそれらは、不必要な詳細によって本開示を不明確にし得るからである。明細書中の如何なる言葉も、実施形態の実施に必須である請求されていない要素を示すものとして解釈されるべきではない。
【００２８】
本明細書中の値の範囲の列挙は、本明細書中の他のところで示されない限り、範囲内に入る任意の及び全ての値を個別に参照することを制限するものではなく、そのような範囲内の各個別の値は、本明細書で個別に挙げられているように本明細書の中に組み込まれる。「約」、「近似的に」などの用語は、数値に付随しているときに、意図された目的のために満足に動作すると当業者によって認められた偏差を示すものと解釈されるべきである。値及び／又は数値の範囲は、例示的なものとしてのみ本明細書で提供され、説明される実施形態の範囲の限定を構成しない。本明細書で提供される任意の実施例又は例示的な言語（「例えば」、「などの」など）の使用は、単に優れて実施形態を示すことを意図するのみであり、実施形態の範囲を限定するものではない。明細書中の如何なる言葉も、実施形態の実施に必須である請求されていない要素を示すものとして解釈されるべきではない。
【００２９】
以下の説明における、「第１（first）」「第２（second）」「上部（top）」、「底部（bottom）」、「側部（side）」、「前方（front）」、「前方の（frontal）」、「後方（back）」などといった語は、利便性のための語であり、限定のための語であると解釈すべきではない。本明細書で提供される様々なデータ値（例えば、ボルト、秒など）は、１以上の他の所定のデータ値によって代替され、したがって、限定的なものではなくむしろ例示的なものとして見られるべきである。本開示に対して、以下の用語と定義が適用される。
【００３０】
「航空輸送体」及び「航空機」という用語は、限定しないが、固定翼航空機、無人航空機、可変翼機、及び垂直離着陸（VTOL）航空機を含む、飛行が可能な機械を指す。
【００３１】
「及び／又は」という用語は、「及び／又は」によって接合されるリスト内の項目の任意の１以上を意味する。一実施例として、「ｘ及び／又はｙ」は、３つの要素の組｛（ｘ）、（ｙ）、（ｘ、ｙ）｝のうちの任意の要素を意味する。言い換えると、「ｘ及び／又はｙ」は、「ｘとｙのうちの一方又は両方」を意味する。別の一実施例として、「ｘ、ｙ、及び／又はｚ」は、７つの要素の組｛（ｘ）、（ｙ）、（ｚ）、（ｘ、ｙ）、（ｘ、ｚ）、（ｙ、ｚ）、（ｘ、ｙ、ｚ）｝のうちの任意の要素を意味する。言い換えると、「ｘ、ｙ、及び／又はｙ」は、「ｘ、ｙ、及びｚのうちの１以上」を意味する。
【００３２】
「回路」及び「電気回路」という用語は、物理的電子部品（すなわち、ハードウェア）、並びに、ハードウェアを構成し、ハードウェアによって実行され、且つ／又はさもなければハードウェアに関連し得る、任意のソフトウェア及び／又はファームウェア（「コード」）を指す。本明細書で使用される際に、例えば、特定のプロセッサ及びメモリは、コードの１以上のラインの第１の組を実行するときに第１の「回路」を備え、コードの１以上のラインの第２の組を実行するときに第２の「回路」を備え得る。本明細書で使用される際に、（例えば、ユーザが構成可能な設定、工場での調整などによって）機能の実行が不可能であるか又は可能でないか否かに関わりなく、回路が機能を実行するために必要なハードウェア及び（もし必要ならば）コードを備えるときはいつでも、回路は、機能を実行するために「動作可能」である。
【００３３】
「伝達する」及び「通信する」という用語は、（１）データを発信元から送付先へ送信若しくは他の方法で伝えること、並びに／又は、（２）データを送付先へ伝えるために、通信媒体、システム、チャネル、ネットワーク、装置、回線、ケーブル、ファイバー、回路、及び／若しくはリンクに送達することの、両方を意味する。
【００３４】
本明細書で使用される際に、「に接続される」及び「と接続される」という用語は、各々、２以上のデバイス、装置、ファイル、要素、機能、動作、プロセス、プログラム、媒体、構成要素、ネットワーク、システム、サブシステム、及び／又は手段の間の関係性を意味する。その関係性は、（ｉ）直接的にか又は１以上の他のデバイス、装置、ファイル、回路、要素、機能、動作、プロセス、プログラム、媒体、構成要素、ネットワーク、システム、サブシステム、又は手段を介してかに関わらず、接続、（ｉｉ）直接的にか又は１以上の他のデバイス、装置、ファイル、回路、要素、機能、動作、プロセス、プログラム、媒体、構成要素、ネットワーク、システム、サブシステム、又は手段を介してかにかからわず、通信関係、並びに／又は（ｉｉｉ）任意の１以上のデバイス、装置、ファイル、要素、機能、動作、プロセス、プログラム、媒体、構成要素、ネットワーク、システム、サブシステム、又は手段の動作が、全体的に又は部分的に、それらのうちの任意の他の１以上の動作に応じる、機能的な関係のうちの任意の１以上を構成する。
【００３５】
本明細書で使用される際に「データ」という用語は、恒久的であるか又は一時的であるかに関わらず、視覚的、聴覚的、音響的、電気的、磁気的、電磁的、又はさもなければ明示されたかに関わらず、しるし、信号、マーク、シンボル、ドメイン、シンボルセット、表現、及び情報を表す任意の他の物理的形態（複数可）を意味する。「データ」という用語は、異なる物理的形態（複数可）を採る対応する情報の任意の及び全ての表現を包含する、１つの物理的形態を採る所定の情報を表すために使用され得る。
【００３６】
本明細書で使用される際に「データベース」という用語は、データ又はデータの組織化された本体が表現されるやり方に関わりなく、関連するデータの組織化された本体を意味する。例えば、関連するデータの組織化された本体は、表、マップ、グリッド、パケット、データグラム、フレーム、ファイル、Ｅメール、メッセージ、文書、レポート、リスト、又は任意の他の形態のうちの１以上の形態を採り得る。
【００３７】
「例示的な」という用語は、「実施例、事例、又は例示として働く」ことを意味する。本明細書で説明される実施形態は、限定的ではなく、むしろ例示的のみである。説明される実施形態は、必ずしも他の実施形態よりも好適であり又は有利であると解釈されないことが、理解されるべきである。更に、「本発明の実施形態」、「実施形態」、又は「発明」という用語は、本発明の全ての実施形態が、説明された特徴、利点、又は動作のモードを含むことを必要としない。
【００３８】
「メモリデバイス」という用語は、プロセッサによって使用されるために情報を記憶するコンピュータハードウェア又は回路を意味する。メモリデバイスは、例えば、リードオンリーメモリ（ROM）、ランダムアクセスメモリ（RAM）、キャッシュメモリ、コンパクトディスクリードオンリーメモリ（CDROM）、電気光学メモリ、磁気光学メモリ、プログラマブルリードオンリーメモリ（PROM）、消去可能プログラマブルリードオンリーメモリ（EPROM）、電気的消去可能プログラマブルリードオンリーメモリ（EEPROM）、コンピュータ可読媒体などの、任意の適切な種類のコンピュータメモリ又は任意の他の種類の電子記憶媒体であり得る。
【００３９】
本明細書で使用される際に、「ネットワーク」という用語は、インターネットを含む全ての種類のネットワークと相互間ネットワークの両方を含み、任意の特定のネットワーク又は相互間ネットワークに限定されない。
【００４０】
「プロセッサ」という用語は、ハードウェアに実装されていてもソフトウェアに明白に具現化されていても又はそれらの両方でも、それがプログラム可能であってもそうではなくても、プロセッサデバイス、装置、プログラム、回路、構成要素、システム、及びサブシステムを意味する。「プロセッサ」という用語は、１以上のコンピュータデバイス、配線回路、信号修正デバイス及びシステム、システムを制御するためのデバイス及び機械、中央処理装置、プログラマブルデバイス及びシステム、フィールドプログラマブルゲートアレイ、特定用途向け集積回路、チップ上のシステム、離散した要素及び／又は回路を備えたシステム、状態機械、仮想機械、データプロセッサ、処理設備、並びにそれらの任意の組み合わせを含むが、それらに限定されるものではない。例えば、プロセッサは、任意の種類の汎用マイクロプロセッサ又はマイクロコントローラ、デジタル信号処理（DSP）プロセッサ、特定用途向け集積回路（ASIC）であり得る。プロセッサは、メモリデバイスに接続され又はメモリデバイスと統合され得る。
【００４１】
本明細書で開示されるのは、静止している及び／又は移動している障害物を検出し、それらの周りで自動的にナビゲートするためのシステム、方法、及び装置である。UAV、殊に戦術の又はMALEクラスのUAVは、ミッションを実行するときに非常に異なる環境で飛行することができ、結果として、検知及び回避センサの種類と、種々の環境における理想的な挙動とに影響を与え得る。例えば、UAVは、ミッション又は天候要因に依存して、比較的高い高度（地上から15,000フィートの高さまで）を飛行し、又は比較的低い高度（地上から1,000フィートの高さまで）に下降することができる。殊により低い高さでは、次いで、近傍の地形が平坦であるか、丘陵に富んでいるか、又は山が多いかどうかに応じて、地形もより大きな役割を演じることがある。これらのUAVも、種々の種類の空域内で動作することができる。同じ種類の検知及び回避センシング及び反応は、異なる種類の空域に対して適切ではないことがある。例えば、レーダー監視の下での高高度空域内では、協働しない障害物の可能性は低くなるが、より低い高度では、これらの目標（target）が最も高い危険性を有するだろう。したがって、本開示の検知及び回避システムは、輸送体が航行している高度、地理的エリア、及び／又は空域に応じて、センサの融合（例えば、混合）を適応させる。先行のシステムを超える本開示の適応検知・回避システムの利点は、適応検知・回避システムが、種々の高度範囲、空域、及び他の文脈に対してUAVの動作を最適化し、それによって、誤警報などの逸脱を最小化しながら最高の安全性を提供することである。
【００４２】
図１ａ及び図１ｂは、適応検知・回避システムと共に使用される例示的な航空輸送体１００、すなわち、多回転翼航空輸送体１００ａ及び固定翼航空輸送体１００ｂの斜視図を示している。より具体的には、図１ａが、垂直離着陸できる（クワッドコプターとして示されている）例示的な自律的多回転翼航空機１００ａを示し、一方で、図１ｂが、固定翼航空機１００ｂを示している。何れの場合でも、航空輸送体１００は、機体１０２（例えば、胴体若しくはシャーシ）、着陸装置１０４、飛行制御システム１２０（図１ｃでより良く示されている）、及び揚力又は推力を提供するための１以上の推力生成器１０６（例えば、プロペラに動作可能に連結されたタービン、モータ１０８、又はエンジン１１８など）を備えてよい。飛行制御システム１２０は、少なくとも部分的に電子モジュール内に収容されてよい。電子モジュールは、機体１０２に統合されてよく、分離したハウジング若しくはポッドを介して設けられてよく、又はそれらの組み合わせであってよい。多回転翼航空輸送体１００ａの場合では、推力生成器１０６が、複数のローターブーム１１２を介して機体１０２に連結されてよい。固定翼航空機１００ｂの場合では、１以上の固定翼１１４が、機体１０２に連結されてよい。１以上の固定翼１１４は、機体１０２とは異なってもよいが、固定翼航空機１００ｂは、代わりに、融合された翼又は全翼構成として構成されてよい。
【００４３】
構成にかかわらず、航空輸送体１００は、反響定位センサなどの１以上のセンサ１１０（例えば、諜報、監視、及び偵察（ISR）ペイロード１４０の部分として、又はそれから分離された）を備えてよい。反響定位センサは、概して、可聴周波数を環境の中に放出すること、及び、障害物から反響定位センサの近くに戻る可聴周波数の任意の反響を検出することによって機能する。反響の強度及び／又は反響戻りの方向を使用して、その反響は、障害物を見つける且つ／又は特定するために使用されてよい。今度は、（特定された）障害物が、１以上の障害物との衝突を避けるように航空輸送体に方向を変更させてよい。しかし、センサ１１０は、反響定位センサに限定されるものではなく、とりわけ、非限定的に、カメラ、レーダー、LIDARなどを含む、当該技術分野で知られている又は当該技術分野で知られることとなる、任意の視覚ベースセンサ又は音響センサを含んでよい。一態様では、カメラを使用して、オプティカルフロー（optical flow）などの３次元再構築技術を通じてより大きな物体を特定することができる。これが、自律的航行のための有用な情報を提供し得る一方で、光学撮像に関連した処理待ち時間、並びに様々な種類の物体の可視性に対する感度は、輸送体の飛行線内にある小さい急速に接近してくる物体を検出するための光学検知技術の利用性を制限し得る。したがって、反響定位を使用して、視覚検知システムを補足することができる。
【００４４】
センサ１１０は、航空輸送体の移動の方向にある視野を得るように位置決めされ、それによって、航空輸送体１００の経路内の潜在的な障害物を特定することができる。例えば、単一のセンサ１１０（又はセンサ１１０の単一の群）は、航空輸送体１００の経路内の衝突の脅威（例えば、妨害物又は障害物）を検出するように、航空輸送体１００の前部に設けられてよい。センサ１１０を飛行線に向けて方向付けることにより、音響検出は、光学的検出を補足し、輸送体による即応性のある操縦の実行を誘発するべき緊急の妨害物を検出するために使用されてよい。一例として音響検出が提供されているが、実質的にあらゆる種類のセンサからの相互作用を使用又は混合することができる。更に、自律的多回転翼航空輸送体１００ａによって示されているように、複数のセンサ１１０（又はセンサの複数の群）は、航空輸送体１００の外周（並びに／又は上及び下）に位置決めされてよく、航空輸送体１００の上下のみならず、航空輸送体１００の飛行線に方向付けられた視野を提供し、それによって、複数のセンサは、航空輸送体１００を取り囲む環境をカバーすることができる。したがって、複数のセンサ１１０は、航空輸送体１００が、航空輸送体１００の任意の側の衝突の脅威を検出し、効果的に、航空輸送体１００の周りの３６０度の視野を提供することを可能にする。
【００４５】
音響センサの１つの目的は、直接に飛行経路（又は他の移動線）内ある障害物、特に、視覚検出又は他の技術を使用して検出されないかもしれない障害物の即時の検出を提供することであることが理解されるだろう。それに応じて、センサ１１０の１つの目的は、特定の方向（例えば、航空輸送体の任意の方向）にある障害物、特に、視覚検出又は他の技術を使用して確実に検出されないかもしれない障害物の即時の検出を提供することであることを理解されたい。反響定位アレイが良く動作する一方で、追加的に又は代替的に、レーザーベースの技術、又は光学的、音響的、無線周波数、若しくは他の検知様式を使用する任意の他の適切な技術などの、他のセンサシステムも、障害物の急速で正確な検出のために適切に採用されてよい。自律的な輸送体内に実装されるのに適切であり且つ妨害物を正確に素早く特定することができる任意のそのような技術は、本明細書で考慮されるシステム及び方法において反響定位センサの代わりに（又は補足するために）使用されてよい。例えば、適応検知・回避システムは、レーダーベースの又はLIDARシステムのみならず、視覚ベースセンサと音響ベースセンサの組み合わせを採用してよい。
【００４６】
図１ｃは、航空輸送体１００向けの例示的な飛行制御システム１２０のブロック図を示している。飛行制御システム１２０は、航空輸送体１００の様々な構成要素及び機能を制御するように構成されてよい。図示されているように、飛行制御システム１２０は、少なくとも１つのメモリデバイス１２８、飛行コントローラ１２６、無線トランシーバー１３０、及び航法システム１４２に通信可能に接続された、１以上の航空機プロセッサ１２４を含む。航空機プロセッサ１２４は、メモリデバイス１２８（例えば、ハードドライブ、フラッシュメモリなど）に記憶された指示命令（例えば、ソフトウェア）及び１以上のデータベースに少なくとも部分的に基づいて、１以上の動作を実行するように構成されてよい。航空機制御システムは、飛行制御システム１２０と、遠隔デバイス１３８（例えば、スマートフォン、タブレット、ラップトップコンピュータなどの、携帯用電子機器）又は他のコントローラ（例えば、基地局）との間でデータを通信するための、アンテナ１３２に接続された無線トランシーバー１３０などの、他の所望の設備を更に含んでいてよい。飛行制御システム１２０は、無線トランシーバー１３０を介して別の航空輸送体１００とも通信し、それによって、例えば、協働する動作を促進することができる。
【００４７】
特定の態様では、飛行制御システム１２０が、ネットワーク１３４を経由して、遠隔デバイス１３８及び／又は別の航空輸送体１００とデータ（処理済みデータ、未処理データなど）を通信することができる。特定の態様では、無線トランシーバー１３０が、長距離リンク、Ｃバンド、Ｋｕ／Ｋａバンド、2.4から2.485GHzまでの工業、科学、及び医療（ISM）帯域の短波長超高周波数（UHF）電波、Wi-Fi（例えば、米国電気電子学会（IEEE）802.11標準）などの、１以上の無線標準を使用して通信するように構成されてよい。遠隔デバイス１３８は、飛行制御システム１２０並びにISRペイロード１４０を含むその（１以上の）ペイロードのモニタ及び／又は制御を促進することができる。
【００４８】
遠隔デバイス１３８は、ユーザ向けの制御及び通信インターフェースを提供することができる。遠隔デバイス１３８は、ユーザが、ASAシステム２００をモニタし、誘導し、制御することを可能にする、管理器として動作するように構成可能であってよい。遠隔デバイス１３８を使用して、ユーザが、作業、制約を入力し、作業割り当てリストを改訂し、ソフトウェア／ファームウェアを更新することなどを可能にすることができる。遠隔デバイス１３８は、タッチスクリーン・グラフィカルユーザインターフェース（「GUI」）及び／又は会話認識システムを含んでよい。遠隔デバイス１３８は、例えば、タブレットコンピュータ、ラップトップコンピュータ、スマートフォン、又はそれらの組み合わせを採用することができる。遠隔デバイス１３８は、パイロットとASAシステム２００との間の通信の一次チャネルとして働き、ユーザが、必要に応じて、ASAシステム２００に作業を命令し、ASAシステム２００からフィードバック又は指示命令を受け取ることを可能にする。遠隔デバイス１３８は、視覚的又は聴覚的警報を与えて、パイロットの注意を特定の警報に向けることができる。
【００４９】
航空機プロセッサ１２４は、オペレータ、自動操縦装置、航法システム１４２、又は他の高レベルシステムからの、無線トランシーバー１３０を介した命令に応答して、様々なアクチュエータ（例えば、可動な飛行操縦翼面などの任意の飛行表面の動き及び固定を制御するもの）、電子モータ１０８（例えば、電子速度コントローラ（ESC）１１６を介して）、及び／又はエンジン１１８（例えば、エンジンコントローラ１２２を介して）の動作を制御するために、飛行コントローラ１２６と動作可能に接続されていてよい。特定の態様では、航空機プロセッサ１２４及び飛行コントローラ１２６が、単一の構成要素又は回路の中に統合されてよい。動作の際に、飛行コントローラ１２６は、航空輸送体１００のロール、ピッチ、又はヨーを制御するために、（例えば、（場合によっては）ESC１１６又はエンジンコントローラ１２２を介して）飛行の様々な段階の間に、１以上の可動な飛行操縦翼面及び／又は推力生成器１０６からの推力を、動的に（すなわち、リアルタイムで又はリアルタイムに近く）且つ個別に調整することができる。ローターブレード付きのローター（例えば、プロペラ）が使用されているときに、飛行コントローラ１２６は、ローターの分当たりの回転数（RPM）を変更し、且つ／又は必要に応じてローターブレードのピッチを変更することができる。例えば、電気モータ１０８が、ESC１１６を介して、電源（例えば、バッテリパック又はバッテリバンク）から各電気モータに供給される電力を調整することによって制御されてよい。
【００５０】
航空機プロセッサ１２４は、INS１４２ｂ及び／又はIMU１４２ｃに通信可能に接続されたGPS１４２ａを含み得る、航法システム１４２に動作可能に接続されていてよい。INS１４２ｂ及び／又はIMU１４２ｃは、１以上のジャイロスコープ及び加速度計を含んでよい。GPS１４２ａによって、INSソリューションをリセットするのに使うことができるか又はカルマンフィルタ（Kalman Filter）といった数学的アルゴリズムを使ってINSソリューションと混合することができる、完全に偏流（drift）のない位置の値が与えられる。航法システム１４２は、とりわけ、航空機プロセッサ１２４に慣性安定化データを通信することができる。
【００５１】
データを収集し且つ／又はエリアをモニタするために、飛行制御システム１２０には、例えば、１以上のカメラ１４０ａ（例えば、光検出測距（LiDAR）デバイスを含む、画像及び／動画を記録又はキャプチャするための光学機器）、音響デバイス１４０ｂ（例えば、マイクロフォン、反響定位センサなど）、及びISR機能を促進しISRデータ（例えば、写真、ビデオ、音響、センサ測定値など）を提供するための他のセンサ１４０ｃを備えた、ISRペイロード１４０などの、更なるセンサ１１０が装備されてよい。ISRペイロード１４０は、ISRペイロード１４０と航空機プロセッサ１２４との間のISRデータ（センサデータ）の通信を促進するために、航空機プロセッサ１２４と動作可能に接続されている。ISRデータを使用して、航空輸送体１００をナビゲートし且つ／又はさもなければ飛行制御システム１２０を制御することができる。特定の態様では、ISRペイロード１４０が、例えば、下方の且つ／又は地上の物体をモニタするために、ISRペイロード１４０がより容易に下方へ方向付けられることを可能にするように、ジンバルシステムを介して機体１０２（又はローターブーム１１２や主翼１１４などの別の１つの構造的構成要素）の下側表面と回転可能且つ旋回可能に連結されてよい。データは、飛行制御システム１２０から無線トランシーバー１３０を介してネットワーク１３４経由で遠隔デバイス１３８へ動的若しくは周期的に通信されてよく、又は後のアクセス若しくは処理用にメモリデバイス１２８に記憶されてよい。
【００５２】
以下で説明されるASAシステム２００は、例えば、航空機プロセッサ１２４、メモリデバイス１２８、飛行コントローラ１２６、及びセンサ１１０を含む、既存のハードウェアを使用するように、飛行制御システム１２０に統合されてよい。この実施例では、ASAシステム２００の特徴及びプロセスは、（例えば、遠隔デバイス１３８を介したメモリデバイス１２８に対する）ソフトウェア及び／又はファームウェアの更新を通じて、航空機１００内に実装されてよい。別の一実施例では、ASAシステム２００は、（例えば、図１ｃで示されている航空機プロセッサ１２４を介して）飛行制御システム１２０に通信可能に接続されたモジュールとして、航空機１００に接続されてよい。
【００５３】
図２ａから図２ｃは、航空機１００上で利用され得る、障害物（例えば、他の航空交通、構造物、天然の自然形成、動物など）の自動的な検出及び回避向けの適応検知・回避（ASA）システム２００を示している。ASAシステム２００は、航空機１００が飛行している高度、地理的エリア、及び／又は空域に応じて、（例えば、動的に、すなわちリアルタイムで又はリアルタイムに近く）センサを融合する。ASAシステム２００は、UAV航空機１００上の既存のデータリンクを通じて地上の任意のオペレータ又は管理者に（例えば、ネットワーク１３６を経由して遠隔デバイス１３８に）、警告警報及びステータスを渡すように構成されてよい。動作の際に、ASAシステム２００は、協働する及び／又は協働しない障害物を検出し、障害物及び／又は他の障害物との衝突を回避するために、自動回避操作を命令するように努める。ASAシステム２００は、複数の障害物センサを相互に関連付け且つ混合して、環境内の（１以上の）障害物の（１以上の）位置及び（１以上の）種類の最も正確な推定値を生み出す。
【００５４】
ASAセンサ２００は、幾つかの利点を提供する。例えば、高度、地理的エリア、及び／又は空域に加えて、ASAシステム２００は、一日のうちの時間帯、現在の天候、及び一年のうちの季節に応じて、センサの融合を更に適応させることができる。ホスト航空機に対する障害物の位置を精緻化するための種々のセンサの重み付け、及び警戒又は回避操縦に対する任意の優先度割り当てなどの、融合の複数のエリアが存在してよい。例えば、現在の位置（空域の種類）に応じて、障害物検出レーダーは、障害物検出向けにより高い優先度を与えられてよく、一方、視覚センサは無視されてよい。別の一実施例では、空港のターミナルエリアの内側にあるときに、協働するセンサ（例えば、ADS-Bデータ）は、重み付けに対して最も高い優先度が与えられてよく、視覚センサにはより低い優先度が与えられてよい。別の一実施例では、夏の間の動作の際に、ハンググライダー又は他の協働しない障害物で人気があると知られているエリア内で、そのような障害物用のセンサ（視覚センサや小さいレーダーなど）に優先度が与えられることになる。鳥の活動が活発であると予測される、場所、一日のうちの時間帯、又は一年のうちの季節において動作するときに、危険な鳥の障害物を検出することができるセンサにも、より高い優先度が与えられてよい。
【００５５】
ASAシステム２００を使用して、航空機１００は、局所的な地形状態を考慮した自動的な障害物回避操縦を実行することができる。そのような操縦は、障害物を回避しながら地形との潜在的な衝突を避けることができる。したがって、ASAシステム２００は、可能な衝突回避飛翔経路を決定するために使用され得る、航空機性能のモデルを採用することができる。そのような経路は上手くいくだろう。ASAシステム２００は、障害物回避操縦を計算するときに、天候状態も考慮に入れることができる。例えば、ASAシステム２００は、最適な飛翔経路を決定し、直近の気象災害を回避するときに、周囲の風又は密度高度を考慮することができる。
【００５６】
図２ａを参照すると、ASAシステム２００は、起こり得る障害物の脅威のリストを生成するために、概して、障害物検出回路２０２、回避操縦飛翔経路回路２０４、１以上のデータベース２２４、及び障害物センサ２２６（例えば、１以上のセンサ１１０）を備えてよい。ASAシステム２００は、航空機１００の飛行コントローラシステム１２０と動作可能に接続されて（又は統合されて）よい。したがって、障害物検出回路２０２及び／又は回避操縦飛翔経路回路２０４は、外部GPS又は統合された（内部）GPS（例えば、GPS１４２ａ）からの位置データ、及び／又は航空機データシステム２２８からの航空機状態データ（例えば、高度、速度、Δ高度など）を受け取ることができる。位置データに加えて、ASAシステム２００は、航空機データシステム２２８から航空機状態情報（例えば、高度、クライム速度、ピッチ角、バンク角、ヨー角、横滑りなど）を受け取ることができる。航空機データシステム２２８は、（例えば、飛行制御システム１２０の部分として）航空機１００に統合されてよい。航空機データシステム２２８は、例えば、ジャイロスコープ及び／又は他の状態センサを備えてよい。
【００５７】
脅威（例えば、潜在的な衝突脅威又は他の障害物）が検出されたときに、ASAシステム２００は、航空機１００の搭載型飛行制御システム１２０に飛翔経路命令を発信することができる。その命令は、航空機１００に、回避飛翔経路（又は飛行経路）を実行するようにさせ（又は指示命令し）てよい。回避飛翔経路は、センサ１１０やISRペイロード１４０などからのセンサデータに少なくとも部分的に基づいて、リアルタイムで計算されてよい。ASAシステム２００は、例えば、ネットワーク１３６などの航空機１００上の既存のデータリンクを通じて、地上の基地局（GCS）２３０における遠隔デバイス１３８を介して、任意の地上のオペレータ又は管理者に警告警報及び状態情報を渡すこともできる。より具体的には、障害物検出回路２０２が、障害物警報をGCS２３０に送ることができる一方で、回避操縦飛翔経路回路２０４は、回避操縦情報をGCS２３０に送ることができる。
【００５８】
例えば、複数の障害物センサ２２６は、協働する障害物（例えば、協働する送信器やトランシーバーを有する別の航空機）を検出するための協働する障害物センサ２２６ａ、及び／又は協働しない障害物を検出するための協働しない障害物センサ２２６ｂを備えてよい。協働する障害物センサ２２６ａは、例えば、ADS-B、TCAS、TASなどを含む、様々なプロトコルのうちの１以上を使用して通信するように構成された、無線周波数トランシーバーを使用して、障害物（例えば、他の航空交通）を検出することができる。協働しない障害物センサ２２６ｂは、例えば、レーダーベースシステム、電気光学システム（例えば、LIDAR）、赤外線システム、音響システム、視覚ベースシステムなどを使用して、障害物（例えば、他の航空交通）を検出することができる。ある場合では、障害物センサ２２６が、起こり得る障害物の脅威のうちの１以上（又は全部）に、脅威レベル（優先度レベル）を割り当ててよく、他の場合では、そうではなく、代わりに他の障害物の位置情報を提供するだけである。例えば、位置情報は、GPS座標又は角度及び距離を含んでよい。障害物センサ２２６からの障害物情報は、目標障害物の速度及び／又は障害物の種類若しくはアイデンティティー（例えば、航空機、テールナンバー、鳥、サイズなど）についての情報も含んでよい。障害物センサ２２６として使用されるセンサ１１０の種類は、考慮されている航空機１００の種類及びサイズ、並びにその航空機１００の動作環境に応じてよい。
【００５９】
メモリデバイス１２８に記憶され得る１以上のデータベース２２４は、航空機１００に課される任意の飛行の制約を特定するために使用されてよい。その目的で、例えば、１以上のデータベース２２４は、空域データベース２２４ａ、環境データベース２２４ｂ、地形データベース２２４ｃなどを備えてよい。１以上のデータベース２２４は、航空機１００の現在の動作に対して予期されたよりも大きなエリアをカバーしてよいが、１以上のデータベース２２４は、必要に応じて、特定のエリア／環境に限定されてよい。ASAシステム２００は、障害物センサ２２６又は別のセンサ１１０によってキャプチャされ得る、利用可能な最新のデータを反映するように、動的に１以上のデータベース２２４を更新してよい。（障害物センサ２２６及び任意の他のセンサ１１０と組み合わされる）１以上のデータベース２２４は、障害物の脅威を計算するために障害物検出回路２０２を支援する。脅威が検出されると、１以上のデータベース２２４は、飛翔経路に影響を与える空域、地形、及び／又は環境要因についての情報を提供することによって、回避操縦飛翔経路回路２０４を支援する。
【００６０】
空域データベース２２４ａは、空域及び航空の特徴を反映した空域データを含んでよい。空域データベース２２４ａは、非限定的に、制御区域、交通管理エリア、途上の空域、制限されたエリア、禁止されたエリア、一時的な飛行制限、軍事演習エリアなどを含む、動作のエリア内で画定された合法空域の全ての種類についての詳細なデータを保有する。更に、確立された定期航空路及びアプローチ手順を反映したデータも含まれてよい。環境データベース２２４ｂは、現在の及び予期される天候、一日のうちの時間帯又は一年のうちの季節の局所的な影響などを含む、環境要因を反映した環境データを含んでよい。環境データベース２２４ｂは、非限定的に、障害物データ、予期された気候データ、現在及びペンディングの天候データ、及び人間の活動のデータ（所与の時間内の所与のエリア内で予期されるイベント又は活動）を含んでよい。最後に、地形データベース２２４ｃは、例えば、山頂、アンテナ塔、建物などの、特定の人工又は天然の特徴を含む、対地高度を反映した地形データを含んでよい。地形データベース２２４ｃは、動作のエリア内の地形についての詳細なデータを保有する。地形データベース２２４ｃは、現在の動作に対して予期されるよりも大きなエリアをカバーしてよく、又は特定のエリアに対するデータが必要に応じてロードされてよい。地形データベース２２４ｃは、精度のために、利用可能な最新のデータで航空機１００によって更新されてよい。
【００６１】
障害物検出回路２０２は、センサからの入力を使用して、障害物の最良の推定値（例えば、種類、位置、飛翔経路など）を特定することができる。障害物検出回路２０２を使用して、（例えば、内部アルゴリズムを使用して）複数のセンサからのデータを相互に関連付けて、障害物の位置を精緻化し、検出された障害物の脅威レベルを決定することができる。例えば、図示されているように、障害物検出回路２０２は、協働する障害物センサ２２６ａ及び／又は協働しない障害物センサ２２６ｂからのセンサ状態及び障害物情報を受け取ることができる。障害物検出回路２０２は、協働する障害物センサ２２６ａ及び／又は協働しない障害物センサ２２６ｂに、モード命令２０８を通信するようにも構成されてよい。モード命令２０８は、協働する障害物センサ２２６ａ及び／又は協働しない障害物センサ２２６ｂに、その動作のモードを変更させ、又はさもなければ調整させることができる。更に、特定の態様では、１以上の機械学習技術を、採用し使用して、（例えば、天候、時間帯、位置、高度などの、様々な状況及び環境内の）航空輸送体１００に関連付けられる歴史的性能データに少なくとも部分的に基づいて、種々の種類のセンサからのセンサデータを融合させることができる。例えば、特定のセンサシステムが、特定の環境内で理想的ではないかもしれないときに、歴史的データは、にもかかわらずそのようなセンサシステムが、特定の環境状態に晒され又は他の種類のセンサに接続されたときに、特定の領域内で好ましい又は使用可能であることを示してよい。
【００６２】
障害物検出回路２０２は、航空機データシステム２２８からの輸送体の位置についての情報を使用し、地理的、空域、及び環境要因のうちの１以上のデータベース２２４と比較して、障害物検出回路２０２を介して協働する障害物センサ２２６ａ及び／又は協働しない障害物センサ２２６ｂの重み付けを設定する。例えば、障害物検出回路２０２は、空域データベース２２４ａからの空域データを使用して、種々の種類の規制された空域に関する航空機１００の位置に基づいて、検出アルゴリズムを精緻化することができる。別の一実施例では、障害物検出回路２０２が、環境データベース２２４ｂからの環境データを使用して、一年のうちの季節、一週間のうちの曜日、一日のうちの時間帯、気候及び天候状態などの、環境要因に基づいて、検出アルゴリズムを精緻化することができる。センサ及びデータベースからの様々な入力に基づいて、障害物検出回路２０２は、例えば障害物警報情報／データの形態を採る障害物の最良の推定値を、回避操縦飛翔経路回路２０４に出力することができる。
【００６３】
回避操縦飛翔経路回路２０４は、内部アルゴリズムを使用して、回避操縦を計算し、障害物検出回路２０２からの障害物警報情報／データに少なくとも部分的に基づいて、検出された障害物及び地形を回避することができる。言い換えると、回避操縦飛翔経路回路２０４は、１以上のデータベース２２４からのデータに基づいて、局所的な地形、空域、及び環境要因を考慮しながら、障害物目標からの安全な分離を保証するための回避飛翔経路を生み出すように構成されている。例えば、回避操縦飛翔経路回路２０４は、地形データベース２２４ｃからの地形データを使用して、回避操縦が局所的な地形によって損なわれないことを保証することができる。特定の態様では、複数のセンサの種々のグルーピングが、航空輸送体１００の現在の動作（すなわち、ミッションの目的）及び／又は環境に応じて、混合され且つ／又は選択されてよい。例えば、取り囲む環境に基づいて、自動で選択されるか又は手動で選択されるかにかかわらず、１以上のセンサのグルーピングが採用されてよい。１以上のデータベースは、特定の環境条件、航空輸送体の動作、航空輸送体の健全性若しくは状態、及び／又は航空輸送体１００に課される飛行の制約の検出の際に、利用されるセンサの１以上の所定のグルーピングを記憶することができる。
【００６４】
図２ｂは、障害物検出回路２０２向けの例示的なプロセスを示している。障害物検出回路２０２の部分作業（subtask）が、動的に動作して、潜在的な障害物の脅威に対して最速の応答を提供することができる。障害物検出回路２０２の部分作業は、現在の航空機の状態及び環境を確認すること２０６、センサのモードを設定すること２０８、障害物検出の重みを設定すること２１０、入って来る障害物データを評価すること２１２、及び障害物脅威情報を回避操縦飛翔経路計画器に送信すること２１３を含んでよい。
【００６５】
現在の航空機の状態及び環境を確認する２０６ときに、障害物検出回路２０２は、航空機データシステム２２８からの航空機の状態及び環境を絶えずモニタする。例えば、例示的な航空機の状態は、現在の高度、対気速度、及びミッションの種類（例えば、通過（transiting）と徘徊（loitering））を含む。障害物検出回路２０２は、空域及び環境に対する現在の位置も確認する。例えば、画定された空域に対する航空機１００の位置、地上の特徴（例えば、都市エリア及び田舎エリア）に対するその位置、並びに丘陵や山岳などの地形特徴に対するその位置である。
【００６６】
障害物検出回路２０２は、必要に応じて任意のセンサモードも設定して２０８よい。そのモードは、現在の航空機の状態及び環境に応じてよい。互換性のあるセンサの場合、障害物検出回路２０２は、現在の航空機の状態及び環境に応じて特定のセンサモードを設定するために、障害物センサ２２６にモード命令を送ることができる。例えば、航空機１００が通過ミッションにあるときには、障害物センサ２２６が、航空機の前のエリアを強調するモードに向けられ、一方、航空機が徘徊ミッションにある場合、航空機１００の周りの３６０度を調べるセンサモードが選択されてよい。別の一実施例では、低い高さで動作する場合、レーダーセンサは、レーダー信号内のグランドクラッタ（ground clutter）をより拒絶するモードに命令されてよい。
【００６７】
障害物検出回路２０２は、現在アクティブなセンサ２２６のみならず、現在の状態及び環境に基づいて、障害物検出重みを設定すること２１０もできる。上述の環境要因に基づいて、障害物検出回路２０２は、センサから来る障害物データを評価するために重み付け要因を設定する。例えば、現在の天候状態が不十分な視認性を含む場合、レーダーセンサからのデータは、視覚ベースセンサからのデータより大きな重みを与えられてよい。別の場合では、他の障害物に協働するシステムが装備されていると予測され得る制御された空域で飛行しているときに、そのような協働する障害物センサは、視覚システムのような協働しない障害物センサより高い重みが与えられてよい。重み付けの正確な程度又はレベルは、解析、シミュレーション、及び経験的データの収集を通じて決定されてよい。
【００６８】
重み付けされたセンサデータを使用して、障害物検出回路２０２は、例えば、重み付けされたセンサ値を使用して、入って来る障害物データを評価すること２１２ができる。言い換えると、障害物検出重み付けが既に設定された状態で、障害物検出回路２０２は、入って来る障害物データを評価する。複数のセンサ２２６が同じ障害物を検出した場合、障害物検出回路２０２は、障害物検出重みを使用して、障害物の相対的な位置を照合し、精緻化することができる。例えば、レーダーセンサと視覚センサの両方が、障害物のようなものを検出したが、報告された相対的な位置がわずかにずれている場合、レーダーセンサが視覚センサより高い重み付けを有する場合、障害物の実際の位置は、レーダーセンサによって報告されたデータにより近いと想定されることになる。障害物検出重みは、変化する航空機及び環境要因に基づくので、障害物検出回路２０２の動作も、センサの間の重み付け要因が航空機及び環境要因に応じて変化する際に、変化するだろう。
【００６９】
最後に、障害物検出回路２０２は、障害物の脅威情報（例えば、障害物の位置及び状態）を、回避操縦飛翔経路回路２０４に通信すること２１３ができる。障害物検出回路２０２は、回避操縦飛翔経路回路２０４と、障害物の脅威情報を動的に（例えば、リアルタイムで又はリアルタイムに近く）共有することができる。障害物検出回路２０２は、最も優先度が高い障害物目標だけでなく、他の検出された障害物も共有して、エリア内の（１以上の）の障害物の全体像を回避操縦飛翔経路回路２０４に提供するように構成されてよい。障害物検出回路２０２は、機械学習などの進化した論理を使用して、誤検出を最小化しながら障害物を検出するための能力を精緻化することができる。そのような機械学習は、以前の飛行で集められた情報のデータベースを構築し、次いで使用することができる。そのようなデータベースは、他の障害物（例えば、航空交通）がしばしば検出される地理的エリア又は時間的若しくは環境的要因のホットスポット、或いは逆に、環境又は他の理由で誤検出が生じる可能性のあるエリアを含んでよい。
【００７０】
航空輸送体に関連付けられた情報をキャプチャするための機械学習／ディープラーニング技術を使用するシステムを採用すること、航空輸送体の状態を特定すること、及び／又は航空輸送体が環境に関与する際の反応を生成することによって、システムは、潜在的に危険な状況を回避することができる。例えば、様々なセンサから収集された情報は、歴史的傾向を含む記憶されたデータと照らし合わせて、全体として編集され解析されて、変数に対する航空輸送体の予期される且つ／又は一般的な反応の像を迅速かつ正確に構築することができる。言い換えると、システムは、様々なセンサ情報、又は、ほんの数例を挙げれば、光センサ、生理学的センサ、輸送体の状態センサなどの、異なる種類のセンサの中の間での「センサ融合」に、少なくとも部分的に基づいて、受け入れ、解析し、且つ／又は決定を行うように構成されてよい。したがって、データを収集し経時的にモデルを構築して将来の類似した状況を認識しそれに適応することができる、機械学習／ディープラーニング技術を使用して、ほんの数例を挙げれば、制限された視野、損傷した認識装置、ばらついた照明条件を克服する。同様に、機械学習技術は、様々な環境条件下で選択される群の効率を解析することによって、特定の環境条件下の様々なセンサの群の選択を決定する論理を更新するために利用されてよい。
【００７１】
上述したように、回避操縦飛翔経路回路２０４は、障害物検出回路２０２によって報告された障害物の脅威を評価し、（１以上の）回避操縦を計画して、対立又は衝突を回避する。図２ｃは、回避操縦飛翔経路回路２０４の部分作業を示している。回避操縦飛翔経路回路２０４の部分作業は、航空機の位置及び状態をモニタすること２１４、データベースに問い合わせること２１６、飛翔経路を計算すること２１８、回避操縦を計算すること２２０、及び飛行制御システム１２０に命令を発信すること２２２を含んでよい。
【００７２】
回避操縦飛翔経路回路２０４は、航空機の位置及び状態を動的にモニタする２１４。それらは、例えば、GPS１４２ａ及び／又は航空機データシステム２２８から受け取られてよい。次いで、回避操縦飛翔経路回路２０４は、１以上のデータベース２２４などのデータベースに問い合わせる２１６。より具体的には、航空機１００の現在の位置及び状態に少なくとも部分的に基づいて、回避操縦飛翔経路回路２０４は、空域、地形、及び環境データベース２２４ａ、２２４ｂ、２２４ｃに、現在の位置及び状態に関するデータを問い合わせる。
【００７３】
回避操縦飛翔経路回路２０４は、飛翔経路を計算して２１８よい。より具体的には、回避操縦飛翔経路回路２０４は、交通障害物が存在しないとしても、地形をクリアし且つ空域及び他の要因を考慮した飛翔経路を継続的に計算することができる。これらのデフォルトの飛翔経路は、ASAシステム２００が、航空機１００が地形又は空域と対立しないことを分かっている、安全な区域を画定することができる。
【００７４】
回避操縦飛翔経路回路２０４は、回避操縦も計算して２２０よい。すなわち、潜在的に危険な障害物についての情報が、障害物検出回路２０２から受け取られたときに、回避操縦飛翔経路回路２０４は、１以上のデータベース２２４からのデータに基づいて、他の近くの交通、地形、障害物、及び近くの空域も考慮しつつ、（１以上の）交通障害物を避けるための飛行経路軌道（飛翔経路）を直ちに計算することができる。例えば、ASAシステム２００が、右であろうが左であろうが可能な回避飛翔経路を有するが、回避操縦飛翔経路回路２０４が、航空機１００の右側に対立する地形又は制限された空域が存在することを示すデータを有する場合、回避操縦飛翔経路回路２０４は、代わりに左側に回避操縦飛翔経路を計画することになる。したがって、障害物検出回路２０２から障害物の脅威の報告が受け取られたときに、回避操縦飛翔経路回路２０４はまた、地形を回避し、空域を考慮し、航空機の性能エンベロープ内で動作しつつ、障害物を回避する飛翔経路を再計算することができる。
【００７５】
回避操縦飛翔経路回路２０４は、飛行制御システム１２０に結果として生じた命令を発信して２２２、回避操縦を実行する。飛行制御システム１２０の種類に応じて、結果として生じた命令は、例えば、命令されたウェイポイント、又は速度、機首方位、高度命令であってよい。
【００７６】
図３は、ASAシステム２００が装備された航空機１００を動作させるための例示的な航行方法３００を示す。この実施例の目的で、航空機１００が、山が多い地形を有する環境内で比較的低い高さで徘徊ミッションを実行することを想定する。ステップ３０２で開始すると、ASAシステム２００は、ステップ３０４で、航空機１００及び取り囲んでいる環境の状態を特定する。例えば、障害物検出回路２０２は、位置を評価して、山々を特定及び／又は位置特定する。障害物検出回路２０２は、例えば、位置（例えば、GPSデータを介して）及び内部カレンダーに基づいて、一年のうちの季節が夏であることを特定することもできる。その特定は、１以上のセンサ（例えば、温度計、光センサ、圧力計など）を使用して、補足／確認されてよい。１以上のセンサは、現在の天候を特定するためにも使用されてよい。
【００７７】
航空機１００及び取り囲んでいる環境の状態に基づいて、障害物検出回路２０２は、ステップ３０６で、障害物センサ２２６のそれぞれに対してセンサモードを設定してよい。航空機１００が徘徊ミッションにあるときに、障害物検出回路２０２は、視覚ベースセンサとレーダーセンサの両方が、３６０度モードであるように命令し、それによって、航空機１００の全ての側の障害物を探すことができる。ステップ３０８では、障害物検出回路２０２が、様々なセンサ１１０（例えば、障害物センサ２２６）に重みを割り当ててよい。例えば、天候がクリア（例えば、高い視認性）である場合、ASAシステム２００は、これらの条件下では、パラグライダーなどの検出することが困難な協働しない障害物が予期されるので、視覚ベースの障害物センサからのセンサデータを好む、障害物検出重みを設定してよい。
【００７８】
ステップ３１０では、ASAシステム２００が、障害物センサ２２６からキャプチャされたセンサデータを評価する。重み付け要因が視覚ベースシステムを好む場合に、複数のセンサ（例えば、視覚及びレーダーセンサの両方）を使用して障害物を検出することができるが、視覚ベースシステムは、両方のセンサからのセンサデータを評価するときに、優先権（又は優先度）を与えられる。ステップ３１２では、障害物検出回路２０２が、脅威情報を生成し、検出された障害物を反映したデータを回避操縦飛翔経路回路２０４に報告する。ステップ３１４では、回避操縦飛翔経路回路２０４が、環境内の航空機１００の位置及び状態を動的にモニタする。センサデータをモニタすることに加えて、回避操縦飛翔経路回路２０４は、ステップ３１６で、１以上のデータベース２２４に問い合わせる。１以上のデータベース２２４は、例えば、近くの山の多い地形や制限された空域などを特定することができる。センサデータ及びデータベース情報に少なくとも部分的に基づいて、ASAシステム２００は、潜在的な回避操縦を評価し、航空機用の飛翔経路命令を計算する。ステップ３２０では、飛翔経路命令が、命令として航空機１００の飛行制御システム１２０に通信されて、操縦を完了する。ミッションがステップ３２２で完了した場合、３００は、ステップ３２４で終了してよい。そうでなければ、航行方法３００は、ステップ３０４に戻り、プロセスを繰り返す。
【００７９】
航行方法３００は、複数のステップの特定の組み合わせを有する一実施例として図示されたが、当業者は、より少ない又は追加のステップが実施され得ることを理解するだろう。特定の態様では、１以上のステップが、並行に実行されてよい。更に、１以上のステップは、任意選択的であり、航行方法３００から省略されてよく、又は個別に及び／若しくはオペレータからの要求に際して実行されてよい。ある態様では、１以上のステップが条件次第であり、したがって、１以上のステップが、所定の要件及び／又は条件に従ってよい。更に、ステップが繰り返される順序は、オペレータ又はシステムの必要に応じて、再構成されてよい。
【００８０】
特定の特徴を有するASAシステム２００が説明されたけれども、他の余剰の特徴が、任選択的に考えられてよく、ユーザの必要及び予算に応じて、ソフトウェアの更新の際に追加され又は差し引かれてよい。例えば、システムの調整は、一年のうちの季節又は一日のうちの時間帯に対する調整を含むことなしに、空域又は地形にのみ基づいてよい。これは、費用ベースの更新として追加されてよい。別の一変形例は、補足障害物検出システムとして、人間によって操縦される航空機内に設置されたシステムであってよく、それは未だ、人間のパイロットに対して障害物警報及び推奨される回避飛翔経路を与えるために、センサデータの状況に基づいた混合を使用する。更に別の一変形例では、回避飛翔経路回路２０４が、回避操縦と乗客の快適性及び安全性とのバランスを考慮した追加の論理を含み、乗客を運ぶパイロットがいない自律した航空機用に使用されるか、又は人間のパイロットによって操縦される航空機用の上述の変形例で使用されてもよい。この変形例は、障害物の脅威レベル及び障害物を回避するために必要とされる操縦を、加速度やジャーク（加速度の変化）などの、乗客の快適性要因とバランスさせてよい。ASAシステム２００は、軍事、政府、及び民間の用途で採用されてよい。しかし、ASAシステム２００は、特に、戦術の又はMALEクラスの航空機１００などの、動作高度及び空域の種類の広い範囲を有する航空機１００にとって有用である。
【００８１】
上記で引用された特許及び特許文献は、全体として参照により本願に援用される。部品、特徴などの特定の配置を参照しながら、様々な実施形態が説明されてきたが、これらは、全ての可能な配置又は特徴を網羅することを意図するものではなく、実際、多くの他の実施形態、修正例、及び変形例が、当業者に究明可能であろう。ゆえに、本開示は、具体的に上述したものとは別様にも実践されうると、理解すべきである。
【００８２】
本開示は、以下の条項で説明される主題を含む。
条項１．
環境内で航空輸送体（１００）と共に使用される適応検知・回避システムであって、
飛行コントローラ（１２６）及びメモリデバイス（１２８）に動作可能に接続されたプロセッサ、
前記航空輸送体（１００）に接続された複数のセンサ（１１０、１４０ｃ、２２６）であって、それぞれが前記環境内で障害物の位置を反映したセンサデータを生成するように構成された、複数のセンサ（１１０、１４０ｃ、２２６）、
前記プロセッサ及び前記複数のセンサ（１１０、１４０ｃ、２２６）に動作可能に接続された障害物検出回路（２０２）であって、前記複数のセンサ（１１０、１４０ｃ、２２６）のそれぞれからの前記センサデータを混合して、前記環境内の障害物を特定し、前記環境内の前記障害物の位置の最良の推定値を反映する障害物情報を生成するように構成された、障害物検出回路（２０２）、並びに
前記障害物検出回路（２０２）及び前記プロセッサに動作可能に接続された回避飛翔経路回路を備え、
前記障害物検出回路（２０２）が、
（ｉ）前記航空輸送体（１００）の現在の状態及び前記環境の条件に少なくとも部分的に基づいて、前記複数のセンサ（１１０、１４０ｃ、２２６）のそれぞれに対するセンサモードを設定し、
（ｉｉ）センサの種類、前記航空輸送体（１００）の前記現在の状態、及び前記環境の前記条件に応じて、前記複数のセンサ（１１０、１４０ｃ、２２６）のそれぞれからの前記センサデータに重みを割り当てるように構成され、
前記障害物検出回路（２０２）が、
（ｉ）前記障害物情報及び前記１以上のデータベース（１０８、２２４）からの情報に応じて、飛翔経路データを計算し、
（ｉｉ）前記飛翔経路データを前記飛行コントローラ（１２６）に通信するように構成されている、適応検知・回避システム。
条項２．
前記１以上のデータベース（１０８、２２４）が、（ｉ）前記環境向けに画定された合法空域を反映した空域データの空域データベース（２２４ａ）、（ｉｉ）前記環境における環境要因を反映した環境データの環境データベース（２２４ａ、２２４ｂ、２２４ｃ）、及び（ｉｉｉ）前記環境の地形特性を反映した地形データの地形データベース（２２４ｃ）を備える、条項１に記載の適応検知・回避システム。
条項３．
前記障害物検出回路（２０２）が、前記空域データに応じて、第１のセンサからのセンサデータに第１の重みを割り当て、第２のセンサからのセンサデータに第２の重みを割り当てるように構成されている、条項２に記載の適応検知・回避システム。
条項４．
前記障害物検出回路（２０２）が、前記空域データに応じて、協働するセンサからのセンサデータに第１の重みを割り当て、協働しないセンサからのセンサデータに第２の重みを割り当てるように構成されており、前記第１の重みが前記第２の重みより大きい、条項２に記載の適応検知・回避システム。
条項５．
前記障害物検出回路（２０２）が、前記環境データに応じて、第１のセンサからのセンサデータに第１の重みを割り当て、第２のセンサからのセンサデータに第２の重みを割り当てるように構成されている、条項２に記載の適応検知・回避システム。
条項６．
前記障害物検出回路（２０２）が、前記環境データが前記環境における不十分な視認性を反映するときに、視覚センサ（１１０、１４０ｃ、２２６）からのセンサデータにより低い重みを割り当てるように構成されている、条項５に記載の適応検知・回避システム。
条項７．
前記障害物検出回路（２０２）が、前記空域データ、前記環境データ、及び前記地形データのそれぞれに応じて、動的に障害物を特定するように構成されている、条項２に記載の適応検知・回避システム。
条項８．
前記回避飛翔経路回路が、前記空域データ、前記環境データ、及び前記地形データのうちの少なくとも１つに応じて、動的に飛翔経路データを計算するように構成されている、条項２から７のいずれか一項に記載の適応検知・回避システム。
条項９．
前記適応検知・回避システムが、前記適応検知・回避システムと人間のオペレータとの間の制御及び通信インターフェースを提供するために、人間機械インターフェースと通信可能に接続されている、条項２から７のいずれか一項に記載の適応検知・回避システム。
条項１０．
環境内で航空輸送体（１００）をナビゲートするための方法であって、
飛行コントローラ（１２６）と１以上のデータベース（１０８、２２４）を有するメモリデバイス（１２８）とに動作可能に接続された、プロセッサによって、前記航空輸送体（１００）及び前記環境の状態を特定すること、
前記環境内の障害物の位置を反映したセンサデータを生成するように構成された複数のセンサ（１１０、１４０ｃ、２２６）のそれぞれに対して、前記航空輸送体（１００）及び前記環境の前記状態に少なくとも部分的に基づいてセンサモードを設定すること、
前記プロセッサに動作可能に接続された障害物検出回路（２０２）によって、前記航空輸送体（１００）及び前記環境の前記状態に応じて前記複数のセンサ（１１０、１４０ｃ、２２６）のそれぞれからの前記センサデータに重みを割り当てること、
前記障害物検出回路（２０２）によって、前記環境内の前記障害物の位置に対する最良の推定値を反映した障害物情報を生成すること、
前記プロセッサによって、前記航空輸送体（１００）及び前記環境の前記状態をモニタすること、
前記航空輸送体（１００）に課される任意の飛行の制約を特定するために、前記１以上のデータベース（１０８、２２４）に問い合わせること、
前記プロセッサに動作可能に接続された回避飛翔経路回路によって、前記障害物情報及び前記１以上のデータベース（１０８、２２４）に応じて前記航空輸送体（１００）向けの飛翔経路命令を計算すること、並びに
前記飛翔経路命令を前記飛行コントローラ（１２６）に通信することを含む、方法。
条項１１．
前記１以上のデータベース（１０８、２２４）が、（ｉ）前記環境向けに画定された合法空域を反映した空域データの空域データベース（２２４ａ）、（ｉｉ）前記環境における環境要因を反映した環境データの環境データベース（２２４ａ、２２４ｂ、２２４ｃ）、及び（ｉｉｉ）前記環境の地形特性を反映した地形データの地形データベース（２２４ｃ）を備える、条項１０に記載の方法。
条項１２．
前記割り当てるステップの間に、前記障害物検出回路（２０２）が、前記空域データに応じて、第１のセンサからのセンサデータに第１の重みを割り当て、第２のセンサからのセンサデータに第２の重みを割り当てる、条項１０又は１１に記載の方法。
条項１３．
前記割り当てるステップの間に、前記障害物検出回路（２０２）が、前記空域データに応じて、協働するセンサからのセンサデータに第１の重みを割り当て、協働しないセンサからのセンサデータに第２の重みを割り当て、前記第１の重みが前記第２の重みより大きい、条項１０から１２のいずれか一項に記載の方法。
条項１４．
前記割り当てるステップの間に、前記障害物検出回路（２０２）が、前記環境データに応じて、第１のセンサからのセンサデータに第１の重みを割り当て、第２のセンサからのセンサデータに第２の重みを割り当てる、条項１０から１２のいずれか一項に記載の方法。
条項１５．
前記割り当てるステップの間に、前記障害物検出回路（２０２）が、前記環境データが前記環境における不十分な視認性を反映するときに、視覚センサ（１１０、１４０ｃ、２２６）からのセンサデータにより低い重みを割り当てる、条項１４に記載の方法。
条項１６．
前記障害物情報を生成するステップの間に、前記障害物検出回路（２０２）が、前記空域データ、前記環境データ、及び前記地形データのそれぞれに応じて、動的に障害物を特定する、条項１０から１５のいずれか一項に記載の方法。
条項１７．前記飛翔経路命令を計算するステップの間に、前記回避飛翔経路回路が、前記空域データ、前記環境データ、及び前記地形データのうちの少なくとも１つに応じて、動的に飛翔経路データを計算する、条項１０から１６のいずれか一項に記載の方法。
条項１８．
航空輸送体（１００）であって、
飛行コントローラ（１２６）、
前記飛行コントローラ（１２６）及びメモリデバイス（１２８）に動作可能に接続されたプロセッサであって、前記メモリデバイス（１２８）が、
（ｉ）前記環境向けに画定された合法空域を反映した空域データの空域データベース（２２４ａ）、
（ｉｉ）前記環境における環境要因を反映した環境データの環境データベース（２２４ａ、２２４ｂ、２２４ｃ）、及び
（ｉｉｉ）前記環境の地形特性を反映した地形データの地形データベース（２２４ｃ）を備えた、プロセッサ、
前記環境内で障害物の位置を反映したセンサデータを生成するように構成された複数のセンサ（１１０、１４０ｃ、２２６）
前記プロセッサ及び前記複数のセンサ（１１０、１４０ｃ、２２６）に動作可能に接続された障害物検出回路（２０２）であって、前記複数のセンサ（１１０、１４０ｃ、２２６）のそれぞれからの前記センサデータを混合して、前記環境内の障害物を特定し、前記環境内の前記障害物の位置の最良の推定値を反映する障害物情報を生成するように構成された、障害物検出回路（２０２）、並びに
前記障害物検出回路（２０２）及び前記プロセッサに動作可能に接続された回避飛翔経路回路を備え、
前記障害物検出回路（２０２）が、
（ｉ）前記航空輸送体（１００）の現在の状態及び前記環境の条件に少なくとも部分的に基づいて、前記複数のセンサ（１１０、１４０ｃ、２２６）のそれぞれに対するセンサモードを設定し、
（ｉｉ）センサの種類、前記航空輸送体（１００）の前記現在の状態、及び前記環境の前記条件に応じて、前記複数のセンサ（１１０、１４０ｃ、２２６）のそれぞれからの前記センサデータに重みを割り当てるように構成され、
前記障害物検出回路（２０２）が、
（ｉ）前記障害物情報及び前記１以上のデータベース（１０８、２２４）からの情報に応じて、飛翔経路データを計算し、
（ｉｉ）前記飛翔経路データを前記飛行コントローラ（１２６）に通信するように構成されている、航空輸送体（１００）。
条項１９．
前記障害物検出回路（２０２）が、前記環境データが前記環境における不十分な視認性を反映するときに、視覚センサ（１１０、１４０ｃ、２２６）からのセンサデータにより低い重みを割り当てるように構成されている、条項１８に記載の航空輸送体（１００）。
条項２０．
前記障害物検出回路（２０２）が、前記空域データに応じて、協働するセンサからのセンサデータに第１の重みを割り当て、協働しないセンサからのセンサデータに第２の重みを割り当てるように構成されており、前記第１の重みが前記第２の重みより大きい、条項１８又は１９に記載の航空輸送体（１００）。
【図１ａ】
2020098567.tif 000003
【図１ｂ】
2020098567.tif 000004
【図１ｃ】
2020098567.tif 000005
【図２ａ】
2020098567.tif 000006
【図２ｂ】
2020098567.tif 000007
【図２ｃ】
2020098567.tif 000008
【図３】
2020098567.tif 000009
【外国語明細書】
2020098567000001.pdf
2020098567000002.pdf
2020098567000003.pdf
2020098567000004.pdf